(57)【要約】【課題】サーバを必要とせず、複数の家電機器を単一のリモコンで使えるリモコン制御システムを提供する【解決手段】家電機器（１）と通信端末（２）から成り、前記家電機器（１）は、自身の制御コード及びリモコン画面を生成する手段（１０１）と、前記制御コード及びリモコン画面を前記通信端末（２）に送信する手段（１０２）と、前記通信端末（２）から前記制御コード及びパラメータを受信する手段（１０３）と、前記通信端末（２）ごとに、受信した前記制御コード及びパラメータを管理する手段（１０４）とを備え、前記通信端末（２）は、前記家電機器（１）から制御コード及びリモコン画面を受信する手段（２０１）と、前記リモコン画面を表示する手段（２０２）と、前記制御コード及びパラメータを選択・入力する手段（２０３）と、選択された前記制御コード及びパラメータを前記家電機器に送信する手段（２０４）とを備える。【選択図】図１
2009100046.tif 000002
【特許請求の範囲】
【請求項１】
家電機器と通信端末から成り、
前記家電機器は、
自身の制御コード及びリモコン画面を生成する制御コード及びリモコン画面生成手段と、
前記制御コード及びリモコン画面を前記通信端末に送信する制御コード及びリモコン画面送信手段と、
前記通信端末から前記制御コード及びパラメータを受信する制御コード及びパラメータ受信手段と、
前記通信端末ごとに、受信した前記制御コード及びパラメータを管理する制御コード及びパラメータ管理手段とを備え、
前記通信端末は、
前記家電機器から制御コード及びリモコン画面を受信する制御コード及びリモコン画面受信手段と、
前記リモコン画面を表示するリモコン画面表示手段と、
前記制御コード及びパラメータを選択・入力する制御コード及びパラメータ選択・入力手段と、
選択された前記制御コード及びパラメータを前記家電機器に送信する制御コード及びパラメータ送信手段とを備えることを特徴とするリモコン操作システム。
【請求項２】
前記家電機器の制御コード及びリモコン画面送信手段は、前記制御コード及びリモコン画面以外の他の情報も前記通信端末に送信し、
前記通信端末の制御コード及びリモコン画面受信手段は、前記他の情報も受信し、
前記リモコン画面表示手段は、前記他の情報も表示することを特徴とする請求項１記載のリモコン操作システム。
【請求項３】
前記通信端末は、前記他の情報を通知する通知手段をさらに備えることを特徴とする請求項２記載のリモコン操作システム。
【請求項４】
自身の制御コード及びリモコン画面を生成する制御コード及びリモコン画面生成手段と、
前記制御コード及びリモコン画面を通信端末に送信する制御コード及びリモコン画面送信手段と、
前記通信端末から前記制御コード及びパラメータを受信する制御コード及びパラメータ受信手段と、
前記通信端末ごとに、受信した前記制御コード及びパラメータを管理する制御コード及びパラメータ管理手段とを備えることを特徴とする家電機器。
【請求項５】
前記制御コード及びリモコン画面送信手段は、前記制御コード及びリモコン画面以外の他の情報も前記通信端末に送信することを特徴とする請求項４記載の家電機器。
【請求項６】
家電機器から制御コード及びリモコン画面を受信する制御コード及びリモコン画面受信手段と、
前記リモコン画面を表示するリモコン画面表示手段と、
前記制御コード及びパラメータを選択・入力する制御コード及びパラメータ選択・入力手段と、
選択された前記制御コード及びパラメータを前記家電機器に送信する制御コード及びパラメータ送信手段とを備えることを特徴とする通信端末。
【請求項７】
前記制御コード及びリモコン画面受信手段は、前記家電機器から前記制御コード及びリモコン画面以外の他の情報も受信し、
前記リモコン画面表示手段は、前記他の情報も表示することを特徴とする請求項６記載の通信端末。
【請求項８】
前記他の情報を通知する通知手段をさらに備えることを特徴とする請求項７記載の通信端末。
【発明の詳細な説明】
【技術分野】
【０００１】
本発明は、リモコン制御システムに関する。本発明は、上記リモコン制御システムにおいて使用する家電機器及び通信端末にも関する。
【背景技術】
【０００２】
複数の家電機器に対してリモコン操作を行う場合、従来は、それぞれの家電機器に応じたリモコンを別々に用意しなくてはならなかった。複数の家電機器を単一のリモコンで使えるようにする学習リモコンもあるが、汎用リモコンのため、それぞれの機器に応じた使いやすいリモコン操作ができるとはいえなかった。これらの問題を解決するために、特許文献１では、サーバからリモコン情報をリモコンにダウンロードすることが提案され、特許文献２では、携帯電話に登録しておいた情報を用いて家電機器を制御することが提案されている。
【０００３】
【特許文献１】特開２００２−１６９９０号明細書
【特許文献２】特開２００３−３７６５４号明細書
【発明の開示】
【発明が解決しようとする課題】
【０００４】
しかし、特許文献１に記載の技術では、サーバを必要とするため、新規家電機器が出てきた場合にはデータの登録が必要であるという問題があり、特許文献２に記載の技術では、予め携帯電話に機器制御コードの登録しておく必要があるという問題があった。
【０００５】
一方で、携帯電話を家電機器のリモコンとして使用する方法が考えられている。しかし、これらは、携帯電話が家電機器に命令を出すことが主体であり、携帯電話のリモコン機能を家電機器が制御することはない。携帯電話のリモコン機能が行えることは、あらかじめ設定しておいた家電機器制御機能のみを利用することである。しかしながら、家電機器の状態によっては可能でない操作があったとしても、リモコン上はその操作を行えるように見えてしまう。このことは、ユーザに余計な情報を提示していることになり、操作の煩雑さにつながる。
【０００６】
本発明は上述したことを鑑みてなされたものであり、サーバを必要とせず、複数の家電機器を単一のリモコンで使えるリモコン制御システムを提供することを目的とするものである。
【０００７】
また、本発明は、上記リモコン制御システムで使用する家電機器及び通信端末も提供する。
【課題を解決するための手段】
【０００８】
本発明のリモコン制御システムは、家電機器と通信端末から成り、前記家電機器は、自身の制御コード及びリモコン画面を生成する制御コード及びリモコン画面生成手段と、前記制御コード及びリモコン画面を前記通信端末に送信する制御コード及びリモコン画面送信手段と、前記通信端末から前記制御コード及びパラメータを受信する制御コード及びパラメータ受信手段と、前記通信端末ごとに、受信した前記制御コード及びパラメータを管理する制御コード及びパラメータ管理手段とを備え、前記通信端末は、前記家電機器から制御コード及びリモコン画面を受信する制御コード及びリモコン画面受信手段と、前記リモコン画面を表示するリモコン画面表示手段と、前記制御コード及びパラメータを選択・入力する制御コード及びパラメータ選択・入力手段と、選択された前記制御コード及びパラメータを前記家電機器に送信する制御コード及びパラメータ送信手段とを備えることを特徴とする。
【０００９】
前記家電機器の制御コード及びリモコン画面送信手段は、前記制御コード及びリモコン画面以外の他の情報も前記通信端末に送信し、前記通信端末の制御コード及びリモコン画面受信手段は、前記他の情報も受信し、前記リモコン画面表示手段は、前記他の情報も表示するようにしてもよい。
【００１０】
前記通信端末は、前記他の情報を通知する通知手段をさらに備えてもよい。
本発明の家電機器は、自身の制御コード及びリモコン画面を生成する制御コード及びリモコン画面生成手段と、前記制御コード及びリモコン画面を通信端末に送信する制御コード及びリモコン画面送信手段と、前記通信端末から前記制御コード及びパラメータを受信する制御コード及びパラメータ受信手段と、前記通信端末ごとに、受信した前記制御コード及びパラメータを管理する制御コード及びパラメータ管理手段とを備えることを特徴とする。
【００１１】
本発明の通信端末は、家電機器から制御コード及びリモコン画面を受信する制御コード及びリモコン画面受信手段と、前記リモコン画面を表示するリモコン画面表示手段と、前記制御コード及びパラメータを選択・入力する制御コード及びパラメータ選択・入力手段と、選択された前記制御コード及びパラメータを前記家電機器に送信する制御コード及びパラメータ送信手段とを備えることを特徴とする。
【発明の効果】
【００１２】
本発明によれば、サーバを必要とせず、複数の家電機器を単一のリモコンで使えるリモコン制御システムが提供される。
【発明を実施するための最良の形態】
【００１３】
本発明のリモコン制御システムは、家電機器と携帯端末から成る。携帯端末は、代表的には携帯電話であるが、ＰＤＡ（Ｐｅｒｓｏｎａｌ  Ｄｉｇｉｔａｌ  Ａｓｓｉｓｔａｎｔ）等であってもよい。以下、本発明のリモコン制御システムにおいて携帯電話を用いた場合について説明する。
【００１４】
図１は、本発明のリモコン制御システムの家電機器及び携帯電話の構成を示すブロック図である。
【００１５】
家電機器１は、家電機器１内部の状態に応じて家電機器１の制御コード及びリモコン画面を生成する制御コード及びリモコン画面生成部１０１と、前記制御コード及びリモコン画面を携帯電話２に送信する制御コード及びリモコン画面送信部１０２と、携帯電話２から送信された前記制御コード及びパラメータを受信する制御コード及びパラメータ受信部１０３と、携帯電話の電話番号ごとに受信した制御コード及びパラメータを管理する制御コード及びパラメータ制御コード及びパラメータ管理部１０４とを備える。家電機器１は、このブロック図に示す部分以外にも、家電機器の各々の種類に応じた家電機器本来の機能を実現する部分を備えるものとする。
【００１６】
携帯電話２は、家電機器１から送信された前記制御コード及びリモコン画面を受信する制御コード及びリモコン画面受信部２０１と、前記リモコン画面を表示するリモコン画面表示部２０２と、ユーザが制御コードやそれに付属するパラメータを選択・入力する制御コード及びパラメータ選択・入力部２０３と、選択・入力された制御コード及びパラメータを家電機器１に送信する制御コード及びパラメータ送信部２０４とを備える。リモコン画面表示部２０２は、例えば、一般的な携帯電話において備わる液晶画面である。制御コード及びパラメータ選択・入力部２０３は、例えば、一般的な携帯電話において備わるテンキーや操作キー等である。携帯電話２は、このブロック図に示す部分以外にも、携帯電話本来の機能を実現する部分を備えるものとする。
【００１７】
家電機器１の制御コード及びリモコン画面送信部１０２は、前記制御コード及びリモコン画面以外の後述するような他の情報を携帯電話２に送信し、携帯電話２の制御コード及びリモコン画面受信部２０１は、前記他の情報を受信し、リモコン画面表示部２０２及び／又は他のバイブレータやスピーカ等の通知手段が前記他の情報をユーザに通知するようにしてもよい。
【００１８】
上記のような家電機器と携帯電話を組み合わせることで、家電機器の状態に応じたリモコン画面を、携帯電話に送信、ユーザに提示することで、ユーザが利用しやすいＧＵＩを享受できる。また、機器側が制御コード、リモコン画面を持つため、新しい家電機器を制御するための携帯電話側のソフトウェアアップデート作業を不要にする。
【００１９】
次のようなパターンを想定して本発明のリモコン制御システムを説明する。図２に示すように、テレビジョン受像機である家電機器１ａと、ハイブリッドレコーダである家電機器１ｂがあり、二人のユーザがそれぞれ一台ずつ携帯電話２ａ及び２ｂを持っている。家電機器１ａ及び１ｂは、Ｂｌｕｅｔｏｏｔｈ機器であり、携帯電話１ａ及び１ｂもＢｌｕｅｔｏｏｔｈ機器である。携帯電話１ａは、家電機器１ａ及び１ｂとペアリングしており、携帯電話２ｂは、家電機器１ｂのみとペアリングしている。家電機器１ａは、番組情報を保持しており、各放送の放送番組の変更の時間になると、リモコン用データをペアリングしている機器に送信する。
【００２０】
リモコン用データとは、図３に示すような以下の情報をまとめたものである。
・家電機器を一意に識別するコード（家電ＩＤ）
・家電機器の名称（家電名）
・家電機器内のリモコン用データを一意に識別する番号（シーンＩＤ）
・携帯電話を使い、ユーザに提示するリモコン画面のＧＵＩ情報
・家電機器の制御コード
・リモコン用データの作成日時
・コメント等付加情報
【００２１】
家電ＩＤは、異なる家電機器でリモコン用データが上書きされることを防ぐために用いる。シーンＩＤは、同一家電機器においても携帯電話で提示するリモコン画面を複数持ちたい場合があるため、同一家電機器の複数のリモコン画面を識別するために用いる。
【００２２】
家電機器がリモコン用データを送信するタイミングは、例えば、図４に示すように以下の通りである。
テレビジョン受像機
・各放送の番組変更時間
・視聴番組の変更
ハイブリッドレコーダ
・各放送の番組変更時間
・予約が開始された時
・予約が終了した時
・録画した番組の再生を始めた時
・録画した番組の再生が終了した時
【００２３】
これら以外にも、機器固有のタイミングでリモコン用データを送信してもよい。
家電機器と携帯電話の通信手段には、ＩｒＤＡを用いてもよい。ＩｒＤＡを用いる場合には、家電機器の機器ＩＤを携帯電話に登録し、携帯電話の電話番号を家電機器に登録する。このようにして、家電機器と携帯電話のペアを作成する。
【００２４】
また、家電機器と携帯電話の通信手段には、無線ＬＡＮを用いてもよい。また、電子メールを用いた遠距離通信を行ってもよい。電子メールを介した通信を行う場合には、家電機器から送信する電子メールのヘッダに、家電機器の機器ＩＤをつけ、携帯電話が送信する電子メールのヘッダに、携帯電話の電話番号をつけることでお互いを識別する。
【００２５】
また、家電機器からの情報送信に無線ＬＡＮ通信や電子メール送信を使い、携帯電話から家電機器に情報を送信する時にＩｒやＩｒＤＡを用いる、といったように、家電機器と携帯電話で通信手段を変えてもよい。
【００２６】
リモコン用データは、家電機器内ではシーンＩＤ別、携帯電話内では機器ＩＤ／シーンＩＤ別に制御コード及びパラメータ管理部で保存される。新しく生成したリモコン用データ、もしくは新しく受信したリモコン用データと同じ機器ＩＤ／シーンＩＤのリモコン用データを保持していた場合には、新しいリモコン用データで上書きする。
【００２７】
携帯電話は、リモコンモードを持ち、このモードに移行すると携帯電話をリモコンとして使用できるようになる。リモコンモードに移行すると、ペアリングしてある家電機器の機器名の一覧表をユーザに提示し、どの家電機器のリモコンとして使うかを選択する。また、ペアリングしていない機器を新しく使いたい場合に、機器を探すという選択もできるようにする。図５は、このような一覧表の一例である。この時、同一製品をペアリングしていた場合には、同一機器名が並ぶことになるが、機器ＩＤの若い順に番号を振り、機器を区別できるようにしてもよい。
【００２８】
操作する家電機器を選択すると、携帯電話は、対象の家電機器のシーンＩＤ０のＧＵＩをユーザに提示する。このようなＧＵＩの一例を図６に示す。家電機器は、機器の状態に合わせたＧＵＩ情報を携帯電話に送ることで、機器ごとに使いやすいＵＩを作成することや、状況に応じた操作体系をユーザに提示できる。図７にテレビジョン受像機のＧＵＩの一例を、図８及び９にハイブリッドレコーダのＧＵＩの一例を示す。図示した例では、録画予約していた場合にはその旨を表示し、録画中である場合には、録画中である旨を表示し、さらに録画を取り消す項目を新しく表示している。このように、機器の状態に応じた画面表示をユーザに提示することで、ユーザは、機器が実際に出来る項目のみ選択、実行することになるため、ユーザは複雑な操作を覚える必要がなくなり、やろうとすることに注力できる。
【００２９】
また、同一の機器ＩＤのＧＵＩ情報でも、シーンＩＤごとに管理するため、複数のリモコン画面を持つことが可能である。図８のハイブリッドレコーダのＧＵＩの例で予約の管理を選択すると、別シーンＩＤで管理されたＧＵＩ情報から、図１２に示すような予約の管理画面を表示できる。こうすることで、必要最低限の項目だけユーザに提示し、普段使わない項目は、別画面で用意する、といったことが可能である。
【００３０】
ＧＵＩ情報には、ＳＶＧ（Ｓｃａｌａｂｌｅ  Ｖｅｃｔｏｒ  Ｇｒａｐｈｉｃｓ）を利用する。ＳＶＧは、アニメーションやスクリプト処理が可能なため、通常のリモコンよりユーザにわかりやすい表示を実現することが可能である。携帯電話は、ＳＶＧビューアを持ち、リモコンモードに遷移すると、ＳＶＧビューアを起動し、リモコン画面を表示する。ＳＶＧの記述の中で、ａタグを使い、ＫａｄｅｎＣｏｎｔｒｏｌスキームのＵＲＩにリンクすることで、携帯電話は家電機器の制御コードを送信する。ＫａｄｅｎＣｏｎｔｒｏｌのＵＲＩは以下の形で表現する。
【００３１】
[KadenControl://家電ID/制御コード(&key=value)]
注: key=valueはオプション項目
【００３２】
ユーザがＫａｄｅｎＣｏｎｔｒｏｌのＵＲＩにアクセスすると、携帯電話は対象の家電機器に操作用データを送信する。
【００３３】
操作用データとは以下のデータである。
・携帯電話の電話番号
・操作対象の家電ID
・対象操作の制御コード
・家電機器へのパラメータ(上記keyとvalueの組み合わせ)
【００３４】
図１０にこのような操作用データの送信の様子を示す。この図の例では、制御コード送信は、ユーザが携帯電話で４ｃｈ、経済ニュースを選択した様子を表している。４ｃｈ、ブロードキャスターボタンは、ＳＶＧでは次のようなＫａｄｅｎＣｏｎｔｒｏｌのＵＲＩに関連付けられている。
<a xlink:href=“KadenControl://a3f32363b7/65e3&ch=4”>
ここでは、家電ＩＤ: a3f32363b7の家電機器はテレビジョン受像機であり、制御コード65e3はチャンネル切り替えコード、パラメータchがチャンネル番号を表し、４チャンネルを指定している。
【００３５】
ＧＵＩ情報には、ＨＴＭＬ（Ｈｙｐｅｒ  Ｔｅｘｔ  Ｍａｒｋｕｐ  Ｌａｎｇｕａｇｅ）を用いてもよい。また、ＢＭＬ（Ｂｒｏａｄｃａｓｔ  Ｍａｒｋｕｐ  Ｌａｎｇｕａｇｅ）を用いてもよい。ＨＴＭＬの場合においても、ＢＭＬの場合においても、ＫａｄｅｎＣｏｎｔｒｏｌのＵＲＩをａタグに記述し、操作用データを送信する。
【００３６】
家電機器は、携帯電話から操作用データを受け取ると、制御コードに応じた処理を行う。図１０に示す制御コード送信では、チャンネル切り替え制御コードである65e3を受け、パラメータから４チャンネルをいうことを認識し、テレビに４チャンネルを表示している。
【００３７】
家電機器は、操作用データに含まれる電話番号から、個人を識別することが可能である。そのため、各携帯電話からどのチャンネルがよく選択されるか、どの時間によく選択されるかがわかる。これを利用して、頻繁に家電機器を使うユーザには、ユーザの好みに応じたメニューを、そうでない人には普通のメニューを表示することができる。図１１に示すハイブリッドレコーダのＧＵＩの例は、１８時から８チャンネルをよく見ているユーザの携帯電話に表示される画面である。この画面は、ユーザが普段ハイブリッドレコーダを使い、１８時から８チャンネルを見ていると、ユーザの携帯電話からＵＲＩ[KadenControl://68b2a22e44/65e3&ch=8]にアクセスする。
【００３８】
レコーダは、上記ＵＲＩに対応した操作用データを受信し、ユーザの携帯電話の電話番号と、ch=8を関連させて記憶しておく。こうすることで、ユーザの傾向がわかる。これに応じてＧＵＩ情報を生成することで、ユーザに使いやすいリモコン画面を提供できるだけでなく、ユーザの視聴忘れ、予約忘れの防止をサポートする役割にもなる。
【００３９】
この機能は、携帯電話側で機能を追加する必要がない。そのため、新しい家電機器が登場した場合でも、ユーザの傾向を利用したリモコン画面を提供できる。
【００４０】
また、リモコン用データのコメント等付加情報を利用し、携帯電話がリモコンモードに入っていない状態でも通知を行うことが可能である。レコーダで予約時間になった場合、テレビで視聴予約の時間になった場合に、携帯電話に通知情報を書いたコメント等付加情報付きのリモコン用データを送信する。携帯電話は、通知情報から、ユーザに着信音を鳴らす等の通知を行い、ユーザの視聴忘れといったミスを防ぐことができる。
【００４１】
家電機器は、テレビジョン受像機やハイブリッドレコーダだけでなく、他の家電機器も同様である。例えばエアコンの場合には、図１３に示すようなエアコンのリモコンのようなリモコン画面を提供する。短い間隔で機器と携帯電話間で通信を行うことで、室内温度のような流動的な値も携帯電話に表示することが可能である。
【００４２】
また、上記通知機能を使うことで、ドアが開いているなどで室内温度が急に変化した場合に、ユーザにその旨を知らせることができる。
【００４３】
以上のように、本発明によれば、家電機器から家電機器の状態に合わせたリモコン画面を、自動的に携帯電話に送信することで、家電機器の状態にあわせたＧＵＩをユーザに提供できるため、ユーザは複雑になりがちな機器の操作を理解しやすくなる。また、普段使い慣れた携帯電話が自動的に機器の情報を取得するため、例えばレコーダの録画が始まった、といったような機器のアクションをユーザに手軽に知らせることができる。
【００４４】
また、本発明は、家電機器が自ら情報を発信することで、前記のようなサーバを必要しない。このため、新しい分野の家電機器が出てきたとしても、他の機器(上記の場合はサーバ)に手を入れる必要がない。また、家電機器が自らリモコンＧＵＩ情報を、自身の状態に応じて生成し、発信することで、ユーザが機器の状態に応じた、適切な操作体系を提供できる。家電機器にファームウェアアップデートを行い、機能追加があった場合でも、他の機器に手を加える必要がない。また、自動的に携帯電話が情報を受信するため、前記のような情報の事前登録を必要としない。リモコン側である携帯電話は、外部と通信する手段を持っているので、ソフトウェアを更新するだけで済む。無論、大元の課題である、複数のリモコンを持つ必要がなく、普段使い慣れた携帯電話の使用感で、家電機器を制御することが可能である。
【産業上の利用可能性】
【００４５】
本発明は、リモコン制御システムに利用可能である。
【図面の簡単な説明】
【００４６】
【図１】本発明のリモコン制御システムの構成を示すブロック図である。
【図２】本発明のリモコン制御システムにおけるペアリングを説明する図である。
【図３】リモコン用データを説明する図である。
【図４】家電機器がリモコン用データを送信するタイミングを説明する図である。
【図５】携帯電話が表示するペアリングしてある家電機器の機器名の一覧表である。
【図６】携帯電話が提示するＧＵＩの一例を示す図である。
【図７】テレビジョン受像機のＧＵＩの一例を示す図である。
【図８】ハイブリッドレコーダのＧＵＩの一例を示す図である。
【図９】ハイブリッドレコーダのＧＵＩの他の例を示す図である。
【図１０】携帯電話から家電機器への操作用データの送信の様子を説明する図である。
【図１１】ハイブリッドレコーダのＧＵＩのさらに他の例を示す図である。
【図１２】予約の管理画面を示す図である。
【図１３】エアコン用リモコン画面を示す図である。
【符号の説明】
【００４７】
１、１ａ、１ｂ  家電機器
２、２ａ、２ｂ  携帯電話
１０１  制御コード及びリモコン画面生成部
１０２  制御コード及びリモコン画面送信部
１０３  制御コード及びパラメータ受信部
１０４  制御コード及びパラメータ管理部
２０１  制御コード及びリモコン画面受信部
２０２  リモコン画面表示部
２０３  制御コード及びパラメータ選択・入力部
２０４  制御コード及びパラメータ送信部
【図１】
2009100046.tif 000003
【図２】
2009100046.tif 000004
【図３】
2009100046.tif 000005
【図４】
2009100046.tif 000006
【図５】
2009100046.tif 000007
【図６】
2009100046.tif 000008
【図７】
2009100046.tif 000009
【図８】
2009100046.tif 000010
【図９】
2009100046.tif 000011
【図１０】
2009100046.tif 000012
【図１１】
2009100046.tif 000013
【図１２】
2009100046.tif 000014
【図１３】
2009100046.tif 000015